【事件の表示】
　平成１０年特許願第　５７１７８号「集積回路用低パワー高精度クロック回路」拒絶査定不服審判事件〔平成１０年１０月１３日出願公開、特開平１０−２７５０２３〕について、次のとおり審決する。
【結　論】
　本件審判の請求は、成り立たない。
【理　由】
１．手続の経緯
　本願は、平成１０年３月９日（優先権主張：平成９年３月１１日、優先権主張国：米国）に出願されたものであって、平成１５年７月３日付けで拒絶査定がなされ、これに対し、同年１０月３日に拒絶査定不服審判が請求されるとともに、同年１０月１６日付けで手続補正がなされたものである。
　平成１５年１０月１６日付けの手続補正（以下、「本件補正」という。）により補正された特許請求の範囲は、次の通りである。
　
「【請求項１】　集積回路用の低パワー・高精度クロック回路であって、
　第１のおよび第２の発振器であって、該第１の発振器が該第２の発振器よりも低パワーの発振器であり、および該第２の発振器が該第１の発振器よりも高精度の発振器で、かつ外部の高精度クロックソースに結合されているような第１および第２の発振器と、
　該高精度の第２の発振器のクロックサイクルをカウンタするよう動作する第１のタイマー回路、および該低パワーの第１の発振器のクロックサイクルをカウントするよう動作する第２のタイマー回路と、
　該低パワーの第１の発振器および該高精度の第２の発振器に結合されたプログラマブルプロセッサであって、第１のモードにて該高精度の第２の発振器をプロセッサクロックソースとして選択し、第２のモードにて該低パワーの第１の発振器を該プロセッサクロックソースとして選択し、該第１のタイマー回路および第２のタイマー回路によりカウントされる該クロックサイクルをモニタして、該高精度の第２の発振器と該低パワーの第１の発振器の間のタイミング関係を識別するようになっているプログラマブルプロセッサと、
を含むことを特徴とする集積回路用低パワー・高精度クロック回路。
　　【請求項２】　請求項１に記載のクロック回路において、
　該プログラマブルプロセッサが、所定の条件の間、該高精度の第２の発振器をディスエーブルするよう動作し、該高精度の第２の発振器がディスエーブルされ、該低パワーの第１の発振器が該プロセッサクロックソースとして動作するときに、該プログラマブルプロセッサが、該タイミング関係を用いて、該低パワーの第１の発振器と該高精度の第２の発振器の間のタイミング差を調整するために該タイミング関係を用いるようになっているクロック回路。
　　【請求項３】　請求項１に記載のクロック回路において、
　該マルチプレクサが、該低パワーの第１の発振器からの入力と、該高精度の第２の発振器からの入力との間でグリッジフリーにて切り換える制御論理を有する平滑化マルチプレクサであるクロック回路。
　　【請求項４】　低パワーで高精度のクロックを提供する集積回路であって、
　第１および第２の発振器であって、該第１の発振器が該第２の発振器よりも低パワーの発振器であり、および該第２の発振器が該第１の発振器よりも高精度の発振器で、かつ外部の高精度クロックソースに結合されているような第１および第２の発振器と、
　該高精度の第２の発振器のクロックサイクルをカウントする第１のタイマー回路、および該低パワーの第１の発振器のクロックサイクルをカウントする第２のタイマー回路と、
　該パワー発振器及び該高精度の第２の発振器に結合されたプログラマブルプロセッサであって、第１のモードにて該高精度の第２の発振器をプロセッサクロックソースとして選択し、第２のモードにて該低パワーの第１の発振器を該プロセッサクロックソースとして選択し、該第１のタイマー回路、および第２のタイマー回路によりカウントされる該クロックサイクルをモニタして、該高精度の第２の発振器と、該低パワーの第１の発振器の間のタイミング関係を識別するためのプログラマブルプロセッサと、
を含むことを特徴とする集積回路。
　　【請求項５】　請求項４に記載の集積回路において、
　該プログラマブルプロセッサが、所定の条件の間、該高精度の第２の発振器をディスエーブルするよう動作し、および該プログラマブルプロセッサは、該高精度の第２の発振器がディスエーブルされ、該低パワーの第１の発振器が該プロセッサクロックソースとして動作するときに、該低パワーの第１の発振器と該高精度の第２の発振器の間のタイミング差を調整するために、該所定のタイミング関係を用いるようになっている集積回路。
　　【請求項６】　請求項４に記載の集積回路において、
　該マルチプレクサが、該低パワーの第１の発振器からの入力と該高精度の第２の発振器からの入力との間で、グリッジフリーにて切り換える制御論理を有する平滑化マルチプレクサである集積回路。
　　【請求項７】　低パワーで高精度のクロックを提供する集積回路であって、
　第１および第２の発振器であって、該第１の発振器が該第２の発振器よりも低パワーの発振器であり、および該第２の発振器が該第１の発振器よりも高精度の発振器で、かつ外部の高精度クロックソースに結合されているような第１および第２の発振器と、
　該高精度の第２の発振器のクロックサイクルをカウントするよう動作する第１のタイマー回路、および該低パワーの第１の発振器のクロックサイクルをカウントするよう動作する第２のタイマー回路と、
　該低パワーの第１の発振器および該高精度の第２の発振器に結合されたプログラマブルプロセッサであって、第１のモードにて該高精度の第２の発振器をプロセッサクロックソースとして選択し、第２のモードにて該低パワーの第１の発振器を該プロセッサクロックソースとして選択し、該第１のタイマー回路および第２のタイマー回路によりカウントされる該クロックサイクルをモニタして、該高精度の第２の発振器と該低パワーの第１の発振器の間のタイミング関係を識別するようになっているプログラマブルプロセッサと、
　該低パワーの第１の発振器と該高精度の第２の発振器の出力が多重化されて該プログラマブルプロセッサに提供されるようにするマルチプレクサとを含み、
　該プログラマブルプロセッサが、所定の条件の間、該高精度の第２の発振器をディスエーブルするよう動作し、該高精度の第２の発振器がディスエーブルされ、該低パワーの第１の発振器が該プロセッサクロックソースとして動作するときに、該プログラマブルプロセッサが、該タイミング関係を用いて、該低パワーの第１の発振器と該高精度の第２の発振器の間のタイミング差を調整するように動作し、そして該第２のタイマー回路が論理回路を介して該マルチプレクサに対してストップクリア信号を与えて、該高精度の第２の発振器を所定の間隔で該プロセッサクロックソースをイネーブルするようになっている、ことを特徴とする集積回路。
　　【請求項８】　請求項７に記載の集積回路において、
　該論理回路を介して、該第２のタイマー回路及び該マルチプレクサに結合された外部事象モニタをさらに含み、この外部事象モニタが、該プログラマブルプロセッサ用に該プロセッサクロックソースをイネーブル信号を与えるようになっている集積回路。
　　【請求項９】　集積回路をクロックする方法であって、
　第１の発振器を外部の高精度クロックソースに結合するステップと、
　該第１の発振器と第２の発振器のいずれかを、プログラマブルプロセッサを介してプロセッサクロックソースとして選択するステップであって、該第１の発振器が該第２の発振器よりも高精度の発振器であり、および該第２の発振器が該第１の発振器よりも低パワーの発振器であるようなステップと、
　第１のタイマー回路にて該高精度の第１の発振器のクロックサイクルをカウントし、第２のタイマー回路にて該低パワーの第２の発振器のクロックサイクルをカウントするステップと、
　該高精度の第１の発振器がイネーブルされている間、該第１のタイマー回路及び該第２のタイマー回路をモニタして、該高精度の第１の発振器と該低パワーの第２の発振器の間のタイミング関係を識別するようにするステップとを含むことを特徴とする方法。
　　【請求項１０】　請求項９に記載の方法において、さらに
　所定の条件で該プログラマブルプロセッサを介して該高精度の第１の発振器をディスエーブルするステップと、
　該高精度の第１の発振器がディスエーブルされ、該低パワーの第２の発振器がプロセッサクロックソースとして動作しているときに、該タイミング関係を用いて該低パワーの第２の発振器と該高精度の第２の発振器の間のタイミング差を調整するステップとを含む方法。」
　
　本件補正は、補正前の請求項３，４，８，９，１１，１４〜１６，１９〜２２を削除するものであって、請求項１は補正されておらず、本願の請求項１に係る発明（以下、「本願発明」という。）は、上記特許請求の範囲の請求項１に記載されたとおりのものと認める。
　
　
２．刊行物
　原査定の拒絶の理由に引用された、特開平９−１２１１９２号公報（以下、「刊行物」という。）には、図面と共に、次のような記載がある。
　
【００１２】この発明の別の目的は、マイクロプロセッサ／マイクロコントローラ自体内に適切な低電力タイミング回路を含むことにより高集積化を達成することである。
【００１３】この発明のさらなる目的は、外部のタイミングコンポーネントまたは内部の水晶発振器を用いずに停止モードの間でさえ正確なタイミングを可能にすることである。
　
【００１９】
【好ましい実施例の詳細な説明】パケット無線通信システムのようなプロセッサベースの電子システムにおいて、低電力停止モードを与える装置および方法が開示される。・・・
【００２０】さらに、以下の説明はプロセッサベースの通信装置の枠内でこの発明を開示するが、この発明は、低電力不活性モードからの自動起動機能が必要な他の電子装置と接続しての使用に容易に適合され得ることを当業者は認めるべきである。
　
【００２４】注目すべきことは、「スリープ」モードでは、水晶発振器１６０は低電力状態ではあるが動作しているかもしれないし、一方回路の残りの部分は、起動信号１７５、すなわち電話リング信号が受信されるまでシャットダウンされるということである。「停止」モードでは、水晶発振器１６０もシャットダウンされ、その結果極端に低電力になり、したがってバッテリの寿命をさらに延ばす。
　
【００２６】図３を参照して、ここではこの発明の低電力の自動起動装置を組込むマイクロコントローラ２００の単純化されたシステム図が示される。典型的には５０ＫＨｚから２００ＫＨｚの間で動作するリング発振器２１０からの計数信号がマルチプレクサ２１５を介して計数器２２０に向けられ、水晶発振器２６０が停止モードで完全にシャットダウンできるようにする。リング発振器２１０および計数器２２０は、スリープモードおよび停止モードの両方でほとんど電力を引出さないという特徴を有し、予め設定された期間に基づいてマイクロコントローラ２００が自動で起動できるようにする。マイクロコントローラ２００を含むシステムがスリープモードまたは停止モードになっても、リング発振器２１０および計数器２２０は動作し続ける。マルチプレクサ２１５がスリープモードまたは停止モードの間に、リング発振器２１０から計数器２２０へ計数信号を向けるように選択され、計数器２２０は、それが終了した後にマイクロコントローラ２００の起動論理２７０を活性化することができる。マイクロコントローラ２００が通常動作モードになると、水晶発振器はシステム全体のためにそのタイミング機能を再開することができる。マルチプレクサ２１５が計数信号として水晶発振器２６０を選択する場合、さらに非常に正確な時間基準が可能である。
【００２７】図４を参照して、ここではこの発明の低電力装置を例示する機能ブロック図が示される。リング発振器３１０がマルチプレクサ３１５に結合され、マルチプレクサ３１５は低電力位相スプリッタ３１１と１２７で除する計数器３１２とを介して水晶発振器３６０からの入力も有する。マルチプレクサ３１５からの出力が位相スプリッタ「Ａ」３１８に与えられ、１６ビットのプログラマブル計数器３２０を介し、かつ同様に計数器３２０が位相スプリッタ「Ｂ」３２２を介して、最後に２１７で除する計数器３２５までアンダーフローする。
【００２８】１２７で除する計数器３１２と２１７で除する計数器３２５とは、水晶発振器３６０およびリング発振器３１０用の期間を延長するために好ましい実施例で実現され、当業者は自分たちの特定の応用例およびニーズに合うようにこの実施例を容易に修正できることに注目されたい。さらに、位相スプリッタ「Ａ」３１８および「Ｂ」３２２は、計数器３２０，３２５によりカウントされる対象の信号の位相、すなわち立上がりエッジまたは立下がりエッジを指定するために現在実現される。
【００２９】システムが起動された後、または通常動作モードでは、水晶発振器３６０はシステム全体用の正確なタイミング信号を与えることができる。停止モードでは、リング発振器３１０は、計数信号をマルチプレクサ３１５を介して計数器３２０に与え、ほとんど電力を引出さない。２１７で除する計数器３２５が終了すると、起動論理が活性化される。
【００３０】リング発振器３１０および計数器「Ｃ」３２０がマイクロコントローラの起動論理を活性化するが、特にリング発振器３１０の精度が一般にプロセス、温度および電圧に依存する場合、これらの装置は一般に水晶発振器３６０ほど正確ではないことは当業者も容易に理解するところである。何らかの較正機構がなければ、おそらくリング発振器は、一貫性のない停止／起動デューティサイクルを生じさせ、したがってバッテリから不必要に電力を引出す。
【００３１】図５，図６および図７を参照して、ここではこの発明に従ったリング発振器３１０のための較正プロセスが示される。図５は、動作、スリープまたは停止モードで動作することのできるリング発振器３１０が、１６ビット計数器がカウントする信号を与えることを示す。固定２１７計数器は、起動論理がトリガされる前の期間を延ばすように働く。１６ビットの計数器が終了すると、第１のフラグが設定される（４００）。第１のフラグを用いることについては図７の説明の際にさらに述べる。
【００３２】図６は、水晶発振器が動作モードの間に、それ自体の１６ビット計数器がカウントする信号を与え、計数器が終了すると第２のフラグが設定される（４１０）ことを示す。第２のフラグを用いることについては図７の説明の際にさらに述べる。
【００３３】さて図７は、計数器「Ｃ」を計数器「Ａ」と比較することによりどのようにリング発振器が較正されるかを説明し、計数器「Ａ」はずっと正確でかつ安定した水晶発振器に基づいている。図７を参照して、較正はシステムが起動した後に開始される（４２０）。計数器「Ａ」および「Ｃ」の両方がそれぞれの既知の値に設定された（４２１，４２２）後、これら計数器が能動化されまたはカウントするようにされる（４２３）。計数器「Ａ」が、典型的には８ＭＨｚから２０ＭＨｚの間で動作するずっと速い水晶発振器からその計数信号を受取るので、計数器「Ａ」は、より遅いリング発振器（５０ＫＨｚから２００ＫＨｚの間）をカウントする計数器「Ｃ」よりも終了する回数が多い。計数器「Ａ」が終了するたびに、計数器「Ｃ」は終了していなくとも、ソフトウェア計数器が増分される（４２５）。
【００３４】計数器「Ｃ」が最終的に終了すると、計数器「Ａ」内の値が読出され（４２６）、同様にソフトウェア計数器からそれが何度終了したかが読出される（４２７）。このことは、計数器「Ａ」が水晶発振器によって実際のカウントをいくつ経験したかを決定する。計数器「Ａ」に従った実際の時間がしたがって水晶発振器の周波数と計数器「Ａ」の合計カウントとを用いることにより計算され得る（４２８）。計数器「Ａ」に基づいた実際の時間の、計数器「Ｃ」の予め設定された既知の値に対する比がリング発振器の実際の期間を決定する（４２９）。この情報を用いて、停止モードのために計数器「Ｃ」を予め設定するためのより正確な値が計算され得る（４３０）。
【００３５】この較正プロセスは、装置が起動したばかりのとき、装置がパワーオンになったとき、またはリング発振器の正確度がいかなる理由、たとえば温度変化が原因で落ちたおそれがあるときはいつでも呼出され得ることに注目されたい。しかしながら、注目すべきことは、当業者は、自分たちの応用に基づいて較正要件を容易に決定できるということである。
　
　図３には、マイクロコントローラ２００が有する水晶発振器２６０は、マイクロコントローラ２００の外部にある水晶振動子に結合されていることが、示されている。
　
　これらの記載によれば、刊行物には、次の発明（以下、「刊行物発明」という。）が開示されていると認めることができる。
　
（ａ）
　この発明の別の目的は、マイクロプロセッサ／マイクロコントローラ自体内に適切な低電力タイミング回路を含むことにより高集積化を達成することであり、この発明のさらなる目的は、外部のタイミングコンポーネントまたは内部の水晶発振器を用いずに停止モードの間でさえ正確なタイミングを可能にすることであり、
　パケット無線通信システムのようなプロセッサベースの電子システムにおいて、低電力停止モードを与える装置および方法を開示し、
（ｂ）
　この発明の低電力の自動起動装置を組込むマイクロコントローラ２００の単純化されたシステム図では、
　マイクロコントローラ２００が有する水晶発振器２６０は、マイクロコントローラ２００の外部にある水晶振動子に結合され、
　典型的には５０ＫＨｚから２００ＫＨｚの間で動作するリング発振器２１０からの計数信号がマルチプレクサ２１５を介して計数器２２０に向けられ、水晶発振器２６０が停止モードで完全にシャットダウンできるようにし、リング発振器２１０および計数器２２０は、スリープモードおよび停止モードの両方でほとんど電力を引出さないという特徴を有し、予め設定された期間に基づいてマイクロコントローラ２００が自動で起動できるようにし、マイクロコントローラ２００を含むシステムがスリープモードまたは停止モードになっても、リング発振器２１０および計数器２２０は動作し続け、マルチプレクサ２１５がスリープモードまたは停止モードの間に、リング発振器２１０から計数器２２０へ計数信号を向けるように選択され、計数器２２０は、それが終了した後にマイクロコントローラ２００の起動論理２７０を活性化することができ、マイクロコントローラ２００が通常動作モードになると、水晶発振器はシステム全体のためにそのタイミング機能を再開することができ、マルチプレクサ２１５が計数信号として水晶発振器２６０を選択する場合、さらに非常に正確な時間基準が可能であり、
（ｃ）
　この発明に従ったリング発振器３１０のための較正プロセスにおいては、動作、スリープまたは停止モードで動作することのできるリング発振器３１０が、１６ビット計数器がカウントする信号を与え、固定２１７計数器は、起動論理がトリガされる前の期間を延ばすように働き、１６ビットの計数器が終了すると、第１のフラグが設定される（４００）、
　水晶発振器が動作モードの間に、それ自体の１６ビット計数器がカウントする信号を与え、計数器が終了すると第２のフラグが設定される（４１０）、
（ｄ）
　計数器「Ｃ」を計数器「Ａ」と比較することによりどのようにリング発振器が較正されるかは、計数器「Ａ」はずっと正確でかつ安定した水晶発振器に基づいており、較正はシステムが起動した後に開始され（４２０）、計数器「Ａ」および「Ｃ」の両方がそれぞれの既知の値に設定された（４２１，４２２）後、これら計数器が能動化されまたはカウントするようにされ（４２３）、計数器「Ａ」が、典型的には８ＭＨｚから２０ＭＨｚの間で動作するずっと速い水晶発振器からその計数信号を受取るので、計数器「Ａ」は、より遅いリング発振器（５０ＫＨｚから２００ＫＨｚの間）をカウントする計数器「Ｃ」よりも終了する回数が多く、計数器「Ａ」が終了するたびに、計数器「Ｃ」は終了していなくとも、ソフトウェア計数器が増分され（４２５）、
　計数器「Ｃ」が最終的に終了すると、計数器「Ａ」内の値が読出され（４２６）、同様にソフトウェア計数器からそれが何度終了したかが読出され（４２７）、このことは、計数器「Ａ」が水晶発振器によって実際のカウントをいくつ経験したかを決定し、計数器「Ａ」に従った実際の時間がしたがって水晶発振器の周波数と計数器「Ａ」の合計カウントとを用いることにより計算され得（４２８）、計数器「Ａ」に基づいた実際の時間の、計数器「Ｃ」の予め設定された既知の値に対する比がリング発振器の実際の期間を決定し（４２９）、この情報を用いて、停止モードのために計数器「Ｃ」を予め設定するためのより正確な値が計算され得る（４３０）、
　マイクロプロセッサ／マイクロコントローラ自体内に適切な低電力タイミング回路。　
　
　
３．対比
　本願発明と刊行物発明とを比較する。
（イ）
　刊行物発明の「リング発振器２１０」、「水晶発振器２６０」、「通常動作モード」、「停止モード」は、それぞれ本願発明の「第１の発振器」、「第２の発振器」、「第１のモード」、「第２のモード」に相当する。
（ロ）
　刊行物発明は、（１）スリープモードまたは停止モードにおいては、リング発振器２１０は、計数信号をマルチプレクサ２１５を介して計数器「Ｃ」２２０に与え、ほとんど電力を引出さず、また、（２）通常動作モードになると、水晶発振器２６０はシステム全体のためにそのタイミング機能を再開することができ、マルチプレクサ２１５が計数信号として水晶発振器２６０を選択する場合、さらに非常に正確な時間基準が可能である（摘記事項（ｂ）参照。）から、本願発明の「第１のおよび第２の発振器であって、該第１の発振器が該第２の発振器よりも低パワーの発振器であり、および該第２の発振器が該第１の発振器よりも高精度の発振器」に相当する。
　また、刊行物発明では、マイクロコントローラ２００が有する水晶発振器２６０は、マイクロコントローラ２００の外部にある水晶振動子に結合されている（摘記事項（ｂ）参照。）ことから、刊行物発明の「マイクロコントローラ２００の外部にある水晶振動子」は、本願発明の「外部の高精度クロックソース」と言え、刊行物発明の「水晶発振器２６０」は、本願発明の「第２の発振器が・・・外部の高精度クロックソースに結合されている」に相当する。
（ハ）
　刊行物発明では、較正プロセスにおいて、「計数器「Ａ」」は典型的には８ＭＨｚから２０ＭＨｚの間で動作するずっと速い水晶発振器２６０からその計数信号を受取り、「計数器「Ｃ」」はより遅いリング発振器２１０（５０ＫＨｚから２００ＫＨｚの間）をカウントし、計数器「Ａ」、及び計数器「Ｃ」のカウントの終了をそれぞれ検出している（摘記事項（ｂ），（ｄ）参照。）から、本願発明とは、「高精度の第２の発振器のクロックサイクルをカウンタするよう動作する第１の回路」、及び「低パワーの第１の発振器のクロックサイクルをカウントするよう動作する第２の回路」を備えている点で一致する。
（ニ）
　刊行物発明は、プロセッサベースのシステムであり（摘記事項（ａ）参照。）、停止モードで動作する「リング発振器２１０」、及び停止モードで完全にシャットダウンし通常動作モードで動作する「水晶発振器２６０」を含む（摘記事項（ｂ）参照。）から、「リング発振器２１０」、及び「水晶発振器２６０」は、モードの切り替えや動作の停止、再開などの制御を行う処理手段に結合されていることは明らかであるから、本願発明の「低パワーの第１の発振器および該高精度の第２の発振器に結合されたプログラマブルプロセッサ」とは、「低パワーの第１の発振器および高精度の第２の発振器に結合された処理手段」を備える点で一致する。
（ホ）
　刊行物発明では、「通常動作モード」では水晶発振器はシステム全体のためにそのタイミング機能を再開し、「停止モード」ではリング発振器２１０から計数器２２０へ計数信号を向けるように選択され（摘記事項（ｂ）参照。）るから、本願発明の「第１のモードにて該高精度の第２の発振器をプロセッサクロックソースとして選択し、第２のモードにて該低パワーの第１の発振器を該プロセッサクロックソースとして選択し、」に相当する。
（へ）
　刊行物発明では、リング発振器３１０のための較正プロセスにおいては、「計数器「Ａ」」、「計数器「Ｃ」」はそれぞれ「水晶発振器２６０」、「リング発振器２１０」から与えられた信号をカウントし、「計数器「Ｃ」」がカウントを終了するまでに「計数器「Ａ」」がカウントを終了した回数を用いて、両発振器間の精度差を調整しており（摘記事項（ｄ）参照。）、本願発明の「第１の回路および第２の回路によりカウントされるクロックサイクルをモニタして、該高精度の第２の発振器と該低パワーの第１の発振器の間のタイミング関係を識別するようになっている処理手段」を含むことは明らかである。
（ト）
　刊行物発明のマイクロプロセッサ／マイクロコントローラ自体内で用いられる「低電力タイミング回路」は、発明の目的が、「マイクロプロセッサ／マイクロコントローラ自体内に適切な低電力タイミング回路を含むことにより高集積化を達成すること」、「外部のタイミングコンポーネントまたは内部の水晶発振器を用いずに停止モードの間でさえ正確なタイミングを可能にすること」など（摘記事項（ａ）参照。）であって「リング発振器２１０」、及び「水晶発振器２６０」を用いるものであるから、本願発明の「集積回路用低パワー・高精度クロック回路」に相当する。
　
　したがって、両者は、
　「集積回路用の低パワー・高精度クロック回路であって、
　第１のおよび第２の発振器であって、該第１の発振器が該第２の発振器よりも低パワーの発振器であり、および該第２の発振器が該第１の発振器よりも高精度の発振器で、かつ外部の高精度クロックソースに結合されているような第１および第２の発振器と、
　該高精度の第２の発振器のクロックサイクルをカウンタするよう動作する第１の回路、および該低パワーの第１の発振器のクロックサイクルをカウントするよう動作する第２の回路と、
　該低パワーの第１の発振器および該高精度の第２の発振器に結合された処理手段を含み、第１のモードにて該高精度の第２の発振器をプロセッサクロックソースとして選択し、第２のモードにて該低パワーの第１の発振器を該プロセッサクロックソースとして選択し、該第１の回路および第２の回路によりカウントされる該クロックサイクルをモニタして、該高精度の第２の発振器と該低パワーの第１の発振器の間のタイミング関係を識別する処理手段を含む、
集積回路用低パワー・高精度クロック回路。」
の点で一致し、以下の点で相違している。
　
［相違点１］
　刊行物発明では、「低パワーの第１の発振器および高精度の第２の発振器に結合された処理手段」、及び「第１のモードにて該高精度の第２の発振器をプロセッサクロックソースとして選択し、第２のモードにて該低パワーの第１の発振器を該プロセッサクロックソースとして選択し、該第１の回路および第２の回路によりカウントされる該クロックサイクルをモニタして、該高精度の第２の発振器と該低パワーの第１の発振器の間のタイミング関係を識別する処理手段」を含むのに対して、本願発明では、該「処理手段」が「プログラマブルプロセッサ」である点。
　
［相違点２］
　「第１の回路」及び「第２の回路」が、本願発明では、「第１のタイマー回路」及び「第２のタイマー回路」であるのに対して、刊行物発明では、「計数器「Ａ」」及び「計数器「Ｃ」」である点。
　
４．判断
［相違点１］について
　刊行物発明の「処理手段」として、周知の「プログラマブルプロセッサ」を採用して、本願発明のように構成することは、当業者が容易に想到し得たことである。
　
［相違点２］について
　刊行物発明の計数器は、本願発明のタイマー回路とは、「発振器のクロックサイクルをカウンタするよう動作する」とともに、「カウントされる該クロックサイクルをモニタ」するために用いる「回路」である点で差異はなく、刊行物発明の計数器「Ａ」及び「Ｃ」として、周知の第１及び第２のタイマー回路を用いることは、当業者が適宜なし得たことと認められる。
　
　そして、本願発明の作用効果も、刊行物発明及び技術常識から当業者が予測できる範囲のものである。
　
　したがって、本願発明は、刊行物発明及び技術常識から当業者が容易に想到し得たものであるから、特許法第２９条第２項の規定により特許出願の際独立して特許を受けることができないものである。
　
５．むすび
　以上の通りであるから、本願発明は、刊行物に記載された発明に基づいて当業者が容易に発明をすることができたものであり、特許法第２９条第２項の規定により特許を受けることができない。
　
　
　なお、請求人は、平成１９年４月１０日付け回答書において補正案を提示しているが、その内容を検討しても上記判断に影響を与えるものではない。
　
　よって、結論のとおり審決する。